(57)【特許請求の範囲】
【請求項１】
棒状の柄（え）（１１）を有し、その軸方向の一端にクリーニング機構（１２）を有する歯間クリーナーであって、このクリーニング機構（１２）が前記柄の軟質弾性プラスチック製の被覆（１４）を含み、この被覆（１４）の外側に１つの構造体（１９）が形成されており、この構造体が、半径方向要素が被覆（１４）から突き出ている複数の指状突起（１５）を有し、これらの指状突起が被覆（１４）と同一の材料からなり、被覆と一体に結合されている歯間クリーナーにおいて、前記構造体（１９）が植毛部を備え、この植毛部は、半径方向要素が前記被覆（１４）から突き出ている複数の毛束（１６）、または、複数の単毛（２０）を有しており、これら複数の毛束、または、複数の単毛はそれぞれ、最大直径が０．２５ｍｍであるプラスチック製の単一繊維またはマルチ繊維で形成されており、前記柄（１１）がプラスチック製であり、前記複数の毛束（１６）、または、複数の単毛（２０）が前記被覆（１４）を貫通し、前記柄（１１）で保持されており、且つ、前記柄（１１）に埋め込まれていることを特徴とする歯間クリーナー。
【請求項２】
複数の毛束（１６）、または、複数の単毛（２０）が、前記被覆（１４）の円周上に輪状に分布して配置されてなる、少なくとも１つの毛輪（１８）を形成していることを特徴とする請求項１に記載の歯間クリーナー。
【請求項３】
複数の指状突起（１５）が、前記被覆（１４）の円周上に輪状に分布して配置されてなる、少なくとも１つの指状突起輪（１７）を形成していることを特徴とする請求項１または２に記載の歯間クリーナー。
【請求項４】
前記複数の毛輪（１８）と前記複数の指状突起輪（１７）とが前記被覆（１４）の長手方向に交互に配置されていることを特徴とする請求項３に記載の歯間クリーナー。
【請求項５】
前記複数の毛束（１６）、または、複数の単毛（２０）の少なくとも幾つかが、寸法Ｍだけ前記複数の指状突起（１５）を超えて半径方向に突き出ていることを特徴とする請求項１から４のいずれか１つに記載の歯間クリーナー。
【請求項６】
前記寸法Ｍが０．１ｍｍから１．５ｍｍの範囲にあることを特徴とする請求項５に記載の歯間クリーナー。
【請求項７】
前記寸法Ｍが０．３ｍｍから０．７ｍｍの範囲にあることを特徴とする請求項５に記載の歯間クリーナー。
【請求項８】
前記複数の指状突起（１５）の少なくとも幾つかが、寸法Ｎだけ前記複数の毛束（１６）、または、複数の単毛（２０）を超えて半径方向に突き出ていることを特徴とする請求項１から７のいずれか１つに記載の歯間クリーナー。
【請求項９】
前記寸法Ｎが０．１ｍｍから１．５ｍｍの範囲にあることを特徴とする請求項８に記載の歯間クリーナー。
【請求項１０】
前記寸法Ｎが０．３ｍｍから０．７ｍｍの範囲にあることを特徴とする請求項８に記載の歯間クリーナー。
【請求項１１】
前記複数の毛束（１６）、または、複数の単毛（２０）が、被覆（１４）の長手方向に延びている少なくとも１つの毛列（２１、２２）に配列されていることを特徴とする請求項１から１０のいずれか１つに記載の歯間クリーナー。
【請求項１２】
前記毛列（２１）が前記被覆（１４）の長手方向に直線状に延びていることを特徴とする請求項１１に記載の歯間クリーナー。
【請求項１３】
前記毛列（２２）が前記被覆（１４）の長手方向に螺旋状に延びていることを特徴とする請求項１１に記載の歯間クリーナー。
【請求項１４】
前記指状突起（１５）の少なくとも１つが、１つの毛束（１６）、または、少なくとも１つの単毛（２０）により貫通されていることを特徴とする請求項１から１３のいずれか１つに記載の歯間クリーナー。
【請求項１５】
前記毛束（１６）、または、前記少なくとも１つの単毛（２０）が、前記指状突起（１５）の半径方向外側端部から突き出ていることを特徴とする請求項１４に記載の歯間クリーナー。
【請求項１６】
前記指状突起（１５）が１本ないし４本の単毛（２０）で貫通されていることを特徴とする請求項１４または１５に記載の歯間クリーナー。
【請求項１７】
前記複数の毛束（１６）、または、複数の単毛（２０）の半径方向内側端部が前記柄（１１）内で保持されていることを特徴とする請求項１から１６のいずれか１つに記載の歯間クリーナー。
【請求項１８】
前記複数の毛束（１６）、または、複数の単毛（２０）が前記柄（１１）を半径方向に貫通し、柄の反対側から突き出ていることを特徴とする請求項１から１７のいずれか１つに記載の歯間クリーナー。
【請求項１９】
前記複数の毛束（１６）、または、複数の単毛（２０）がＵ字形またはＶ字形に成形され、それらのベース部が前記柄（１１）に埋め込まれていることを特徴とする請求項１から１７のいずれか１つに記載の歯間クリーナー。
【請求項２０】
前記複数の毛束（１６）、または、複数の単毛（２０）がＬ字形に成形され、Ｌ字脚の一方が前記柄（１１）に埋め込まれ、Ｌ字脚の他方が柄から突き出ていることを特徴とする請求項１から１７のいずれか１つに記載の歯間クリーナー。
【請求項２１】
前記複数の毛束（１６）、または、複数の単毛（２０）の１つの端部が幅広のヘッド（２３）を備え、このヘッドが前記柄（１１）に埋め込まれていることを特徴とする請求項１から１７のいずれか１つに記載の歯間クリーナー。
【発明の詳細な説明】
【技術分野】
【０００１】
本発明は、棒状の柄（え）を有し、その軸方向の一端にクリーニング機構を有する歯間クリーナーに関し、このクリーニング機構が柄の軟質弾性プラスチック製の被覆を含み、この被覆の外側に１つの構造体が形成されており、この構造体は半径方向要素が被覆から突出している複数の指状突起を有し、これらの指状突起は被覆と同一の材料からなり、被覆と一体に結合されている。
【背景技術】
【０００２】
これに相当する歯間クリーナーが特許文献１で知られている。そこに記載された歯間クリーナーは第１プラスチックからなる棒状の柄を有し、この柄はその１端に握り部を、その軸方向反対部に柄の被覆の形態のクリーニング機構を有する。この被覆は例えば熱可塑性エラストマーのような軟質弾性プラスチックからなり、柄に射出被着されている。この被覆はその外側に、いぼ状の、または半径方向外側に向かって延びている複数の指状突起形状の構造体を有している。使用者は歯間クリーナーの握り部を握り、棒状の柄の被覆を有する端部を歯間に挿入し、この歯間クリーナーを前後に動かし、こうして歯間部が清浄化され、場合により付着している粒子が剥離される。
【０００３】
この歯間クリーナーを使えば歯間部の非常に良好なクリーニングは可能であることが分かったが、歯の狭くて微細なポケット部から汚れや沈着物を除去するのは困難である。
【先行技術文献】
【特許文献】
【０００４】
【特許文献１】欧州特許第０９３２３７１Ｂ１号明細書
【発明の概要】
【発明が解決しようとする課題】
【０００５】
本発明の課題は、狭いポケット部と隙間でのクリーニングをも確実に行うことができる上述した種類の歯間クリーナーを得ることにある。
【課題を解決するための手段】
【０００６】
この課題は、本発明により、請求項１の特徴を有する歯間クリーナーにより達成される。この場合、前記の構造体は、半径方向要素が被覆から突き出ている複数の指状突起に加えて植毛部を備え、この植毛部は半径方向要素が被覆から突き出ている複数の毛束、および／または、複数の単毛を有し、これらの毛束、および／または、これらの単毛はそれぞれ、前加工されて被覆に、および／または、柄に埋め込まれた毛で形成されている。
【０００７】
本出願における毛とは、プラスチック製の単一繊維またはマルチ繊維の細い、前加工された部材であり、その最大直径は０．２５ｍｍである。
【０００８】
本明細書で使用されている「軸方向」なる用語は、棒状の柄の長手方向軸、すなわち、被覆の長手方向軸を示す。これに対して、「半径方向」なる用語は前記軸方向に直角な方向を示す。
【０００９】
複数の指状突起、および／または、複数の毛束、および／または、複数の単毛は半径方向に、すなわち、この歯間クリーナーの長手方向軸に対して直角に延びていてもよいし、あるいは、この長手方向軸に対して斜めに延びていてもよく、このことが「半径方向要素」なる表現で表わされている。
【００１０】
前記被覆は好ましくは、公知のように、棒状の柄に射出被着されており、例えばＳＥＢＳまたはエチレン−プロピレン−ジエン−ゴムに基づく熱可塑性エラストマーのような熱可塑性エラストマーで構成してもよいし、例えばシリコーンのような他の軟質プラスチックで構成してもよい。有利には、この被覆が鞘（さや）状に形成されており、棒状の柄の長手方向の延び形状に従う形状を有している。
【００１１】
被覆の外側に複数の指状突起と植毛部とが共に配置されているので、この組合せにおいて高いクリーニング効果が得られる。歯間部にこの歯間クリーナーを挿入すると、これらの突き出た指状突起は変形し、曲がり、実質的に歯間部表面のクリーニングに役立つ。毛部はその寸法が小さいので、指状突起ではクリーニングできないような狭い隙間と歯間部にも入り込み、これらの箇所をクリーニングすることができる
【００１２】
これらの指状突起は被覆と一体に結合されており、被覆と同一の材料からなっている。これらの指状突起はこの歯間クリーナー製造時に被覆形成と一緒に、好ましくは射出成形法で製造される。
【００１３】
複数の毛束または複数の単毛が半径方向に、または少なくとも半径方向コンポーネントを有して、外側に向けて延びている。本発明の好ましい形態では、これらの毛束、および／または、単毛が被覆を完全に貫通し、柄で保持されている。この場合、これらの毛束、および／または、単毛は柄に固定されるか、あるいは、柄をプラスチック製とし、これらの毛束、および／または、単毛は柄の中に部分的に埋め込まれ、とりわけ、抜けないように保持されている。これは例えば次のようにして達成される。すなわち、これらの毛束、および／または、単毛が少なくとも１つの射出成形機内で位置決めされ、次いで、柄の材料で所望の部位にインサートモールドされ、こうして、これらの毛束、および／または、単毛が固定される。この場合、これらの毛束、および／または、単毛は嵌め合い結合、および／または、材料結合で柄に保持することができる。次いで、軟質弾性プラスチックからなる被覆を吹き付け、この時、被覆と一体に結合された指状突起が同時に形成される。
【００１４】
指状突起と植毛部、すなわち、毛束、および／または、単毛の配置については、様々な幾何学的構成が可能である。本発明の１つの形態では、複数の毛束、および／または、複数の単毛を被覆の円周上に、好ましくは均等に分布させて、１つの毛輪を形成する。複数の毛輪を被覆の長手方向において軸方向に間隔をあけて配置することができる。この毛輪の複数の毛束、および／または、複数の単毛は円周方向において相互に間隔をあけて配置することもできるが、複数の毛束、および／または、複数の単毛を互いに密に配置し、この毛輪が被覆の長手方向に対して直角な毛の円板を形成するようにすることもできる。
【００１５】
さらに、少なくとも幾つかの毛束を隣の毛束に対して歯間クリーナーの長手方向においてずらして配置することも可能である。
【００１６】
本発明の１つの形態において、複数の指状突起を被覆の円周上に分布配置して１つの指状突起輪を形成することができる。複数の指状突起輪を相互に間隔をあけて被覆の軸方向に配置すると有利であり、この場合、本発明の一形態では、複数の毛輪と複数の指状突起輪が被覆の長手方向において交互に配置されている。
【００１７】
さらに、少なくとも幾つかの指状突起を隣の指状突起に対して歯間クリーナーの長手方向においてずらして配置することも可能である。
【００１８】
好ましくは半径方向外側に向かって先が尖った、例えば円錐形の形状を有する複数の指状突起がその長さだけ被覆から突き出ている。本発明の有利な形態では、少なくとも幾つかの毛束、および／または、幾つかの単毛が半径方向において寸法Ｍだけ指状突起を超えて突き出るように、複数の毛束、および／または、複数の単毛がより大きな突き出し長さを有しており、この寸法Ｍは０．１ｍｍから１．５ｍｍの範囲、好ましくは０．３ｍｍから０．７ｍｍの範囲、特に好ましくは０．４ｍｍから０．６ｍｍの範囲にある。
【００１９】
本発明のもう１つの形態では、少なくとも幾つかの指状突起が半径方向において寸法Ｎだけ複数の毛束、および／または、複数の単毛を超えて突き出ており、この寸法Ｎは０．１ｍｍから１．５ｍｍの範囲、好ましくは０．３ｍｍから０．７ｍｍの範囲、特に好ましくは０．４ｍｍから０．６ｍｍの範囲にある。
【００２０】
これらの毛束は単独の毛束として、すなわち、隣の毛束と間隔をあけて配置することができる。このことは単毛についても同様である。本発明の１つの形態では、少なくとも幾つかの毛束、および／または、幾つかの単毛が、被覆の長手方向に延びる１つまたは複数の毛列に配置されている。１つの毛列を形成するこれら複数の毛束、および／または、複数の単毛が、連続的で隙間のない１つの毛列を形成すべく、密に隣接して配置されていると有利である。これらの毛列は被覆の長手方向に直線状に延ばすことができるが、その代わりに、またはこれに加えて、被覆の長手方向に螺旋状に延ばすこともできる。
【００２１】
これら複数の毛束、および／または、複数の単毛は、指状突起とは無関係に被覆の外側に配置することができる。しかし、本発明の展開では、その代わりに、またはこれに加えて、指状突起の少なくとも１つが１つの毛束、および／または、少なくとも１つの単毛で貫通されるようにすることができる。この場合、好ましくは、単毛の長さの半分以上、または毛束を形成している毛の長さの半分以上が指状突起の内部に配置され、その毛の自由端が指状突起から、好ましくは指状突起の半径方向外側端部、すなわち、指状突起の尖端部から突き出ている。
【００２２】
この指状突起が１本ないし４本の単毛で貫通されていると有利であることが分かった。
【００２３】
本発明の１つの形態では、これら複数の毛束、および／または、複数の単毛の半径方向内側端部が柄の内部に保持され、特に、柄の内部に埋め込まれている。しかし、この代わりに、この毛束、および／または、この単毛が柄を半径方向に貫通し、柄の反対側から突き出るようにすることも可能である。この毛束、および／または、この単毛は、柄の内部に配置されたその中央部が柄の内部に保持され、特に、この内部に埋め込まれている。
【００２４】
本発明のもう１つの形態では、これら複数の毛束、および／または、複数の単毛がＵ字形またはＶ字形に成形され、それらの自由端が前述したように半径方向に突き出るように、そのベース部分が柄に埋め込まれている。
【００２５】
本発明のもう１つの形態では、これら複数の毛束、および／または、複数の単毛がＬ字形に成形され、そのＬ字脚の一方が柄の内部に埋め込まれ、Ｌ字脚の他方が柄から突き出ている。この場合、柄の内部に埋め込まれたＬ字脚は歯間クリーナーの長手方向、すなわち、軸方向に延び、他方のＬ字脚はこれとほぼ直角に、すなわち、半径方向に、または軸方向に対して斜めに延びている。
【００２６】
これらの毛は柄の内部において嵌め合い結合で、または、材料結合で保持することができる。これら複数の毛束、および／または、複数の単毛の半径方向の端部で幅広のヘッド状の厚さが形成され、これが柄の材料中に埋め込まれると、これら複数の毛束、および／または、複数の単毛の特に良好な嵌め合い保持が得られる。これに相応するヘッドの形成は、既知の方法により、場合により予熱して、毛束、および／または、単毛を打ちつぶすことによって行うことができる。
【００２７】
本発明のさらなる詳細と特徴を、以下の実施例に基づき図を参照して説明する。
【図面の簡単な説明】
【００２８】
【図１】第１の実施例による歯間クリーナーの斜視図
【図２】図１の歯間クリーナーの前方端部の拡大図
【図３】図２のＩＩＩ−ＩＩＩ断面図
【図４】図２のＩＶ−ＩＶ断面図
【図５】図４の形態の１つの変形
【図６】第２の実施例による歯間クリーナーの前方端部
【図７】図６の実施例の１つの変形
【図８】第３の実施例による歯間クリーナーの前方端部
【図９】図８のＩＸ−ＩＸ断面図
【図１０】図８のＸ−Ｘ断面図
【図１１】図８の実施例の１つの変形
【図１２】第４の実施例による歯間クリーナーの前方端部
【図１３】図１２のＸＩＩＩ−ＸＩＩＩ断面図
【図１４】図１２の実施例の１つの変形
【図１５】図２の形態の１つの変形
【図１６】毛固定部の複数の代案の断面図
【図１７】Ｌ字形毛束の断面図
【図１８】Ｕ字形毛束の断面図
【発明を実施するための形態】
【００２９】
図１は歯間クリーナー１０の斜視図を示す。この歯間クリーナーはプラスチック製の棒状の柄１１を有し、この柄の後方、図１の右側端部にこの歯間クリーナー１０の使用者が握ることができる握り部１３が形成されている。
【００３０】
握り部１３の軸方向反対側の前方端部に、図１では左側端部に、棒状の柄１１にクリーニング機構１２が被着されている。このクリーニング機構は柄１１の被覆１４を有し、この被覆１４は好ましくは軟質弾性プラスチックからなり、その外側に構造体１９を有する。
【００３１】
図２〜４はクリーニング機構１２の構造と諸要素の細部および構造体１９の細部を示す。
【００３２】
図４に示すように、被覆１４の外側で指状突起１５の自由端が外側に向かって突き出ており、この指状突起は被覆１４と同じ材料からなり、この被覆と一体に形成されている。これら指状突起１５は半径方向に向かって先が尖っている円錐形状をしている（ここでは例として円錐形が示されている）。ここに示された実施例では、柄１１の長手軸Ｌに直角な１つの面内に６個の指状突起１５が被覆１４の円周上に分布配置されており、１つの指状突起輪１７を形成している。図２に示すように、被覆１４の長手方向に複数の指状突起輪１７が軸方向に間隔をあけて備えられている。隣り合う指状突起輪１７の間にそれぞれ１つの毛輪１８が配置されている。それぞれの毛輪１８は６個の毛束１６を有し、これらの毛束の半径方向内側端部は柄１１に埋め込まれており（図３参照）、これらの毛束は被覆１４を貫通し、被覆から半径方向外側に向かって突き出ている。図４に示すように、少なくとも幾つかの毛束の自由端の長さが指状突起１５の自由端の長さよりも長くされており、毛束１６の自由端が０．１ｍｍから１．５ｍｍの範囲の寸法Ｍだけ指状突起１５を超えて外側に向かって突き出ている。
【００３３】
図５は図４に似た構造を示しているが、ここでは指状突起１５が毛束１６よりも寸法Ｎだけ長く半径方向に突き出ている。この寸法Ｎは、指状突起１５が毛束１６を超えて半径方向外側に突き出るように、０．１ｍｍから１．５ｍｍの範囲にある。
【００３４】
図３と４が示すように、指状突起１５と毛束１６は、投影面においてそれぞれ１つの毛束１６が２つの指状突起１５の間に、あるいは、１つの指状突起１５が２つの隣り合う毛束１６の間に配置されるように、円周方向に配列されている。
【００３５】
図６は第２の実施例を示す。これは植毛部の配置と配列が、図１〜４による第１の実施例とは異なる。図６では植毛部が被覆１４あるいは棒状の柄１１の長手方向に延びている複数の毛列２１で形成されており、これらの毛列は被覆１４の長手方向において直線状に延び、隙間のない密な「毛壁」を形成している。ここに示された実施例では４つの直線状の毛列が被覆１４の円周上に均等に分布されており、円周方向に隣り合う２つの毛列の間にそれぞれ１列の指状突起１５が配置されている。
【００３６】
図７は図６による形態の展開すなわちバリエーションを示す。図６と異なるのは、複数の毛列２２が被覆１４の長手方向に螺旋状に延び、その結果、被覆に巻き付いていることである。この場合にも円周方向に隣り合う２つの毛列２２の間にそれぞれ１列の指状突起１５が配置されている。
【００３７】
図８〜１０は第３の実施例を示す。これは図１〜４による実施例の展開であり、前記実施例と異なるのは、複数の毛輪１８が複数の単毛２０で形成され、これらの単毛が密に配置されているので、これら毛輪１８は連続的な毛の円板状に構成され、これらの毛円板は被覆１４ないし柄１１の長手軸Ｌに直角に延びている。
【００３８】
図９に示すように、複数の単毛２０はその半径方向内側端部が柄１１の材料の中に埋め込まれており、これら単毛は被覆１４を貫通し、その自由端が被覆から半径方向に突き出ている。
【００３９】
図１１は図８による形態の展開を示す。図８と異なるのは、これらの毛輪１８ないし毛円板が、被覆１４ないし柄１１の軸方向において本質的により大きな寸法を有する、すなわち、本質的により厚く、その厚さｓが０．５ｍｍから１．０ｍｍの範囲にあることである。
【００４０】
これまでに示した複数の実施例では、複数の指状突起１５と植毛部、すなわち、複数の毛束１６あるいは複数の単毛２０、とが互いに独立して形成され、支持あるいは保持されている。
【００４１】
図１２と１３は本発明による歯間クリーナーの別の実施例であり、ここでは指状突起１５を貫通する複数の単毛が備えられている。
【００４２】
この歯間クリーナー１０は棒状の柄１１と被覆１４とを備えた上述した構成を有し、この被覆の外側には半径方向外側に向かって突き出た一体に形成された複数の指状突起１５が保持されている。図１３に示すように、それぞれの指状突起１５は２本の単毛２０で貫通されている。これらの単毛２０はその半径方向内側端部が柄１１の材料に埋め込まれており、そこから指状突起１５を通って半径方向外側に向かって延び、指状突起１５の半径方向外側端部、すなわち、指状突起１５の尖端部から飛び出し、そこから半径方向に突き出ている。こうして、単毛２０と指状突起１５が相互に影響を及ぼし、単毛２０は指状突起１５の曲がり安定性を強化し、指状突起１５は単毛２０をその軸方向長さの殆どの部分に渡って支えるので毛２０が折れ曲がる危険が小さくなる。
【００４３】
図１４は図１３による形態の変形である。この場合にも２本の単毛２０が半径方向に指状突起１５を通って延び、指状突起１５の外側尖端部から飛び出している。しかし、これらの単毛２０はその内側端部が柄１１の材料の中で保持されているのではなく、柄１１と、反対側に配置された指状突起１５とを通り抜け、この反対側の指状突起１５の半径方向外側端部から飛び出している。こうして、これらの単毛２０は柄の内部の中央部に配置され、その中で保持されている。
【００４４】
前述の複数の実施例では複数の毛束１６、および／または、複数の単毛２０、および／または、複数の指状突起１５は環状の指状突起輪の中に配置されていた。しかし、図１５の実施例では、それぞれの指状突起が隣り合う指状突起に対して歯間クリーナーの軸方向すなわち長手方向においてずらして配置されている。毛束１６、および／または、単毛についても同様である。このようにした結果、この歯間クリーナーを歯間部に軸方向に挿入すると、複数の指状突起１５が次々に歯の表面と接触し、その結果、抵抗が小さくなる。毛束１６についても同様である。
【００４５】
図１６は毛束１６を柄１１の材料内に固定するための複数の代案を示す。図１６の上側に示された第１形態では、毛束１６の半径方向内側端部で幅広のヘッド２３が形成され、このヘッドによって毛束１６が柄１１の材料に埋め込まれているので、嵌め合い的な方法における大きな引抜き強さが得られる。
【００４６】
図１６の中央に示された第２形態では毛束１６は、柄１１の材料を完全に貫通し、柄の反対側から突き出るように、長くなっている。
【００４７】
図１６の下部に示された第３形態では、毛束はＶ字形に曲げられ、曲げられたＶ字形のベース部が柄１１の材料に埋め込まれており、Ｖ字形の両脚部は半径方向に突き出ている。この場合にも非常に大きな引抜き強さが得られる。
【００４８】
図１７は毛束１６を固定するための別の案を示す。毛束１６はＬ字形に曲げられており、Ｌ字形の１つの脚部は歯間クリーナーの長手方向に柄１１の材料内部を延び、Ｌ字形の他方の脚部はこれと直角に、すなわち、歯間クリーナーの長手方向に対して半径方向に延び、半径方向に突き出ている。
【００４９】
図１８では毛束１６がＵ字形に曲げられており、好ましくは水平な１つのベース部と、これから突き出ている２つの脚部を有する。毛束１６はそのベース部が柄１１の材料に埋め込まれており、そこで保持され、一方、両方の脚部は半径方向に突き出ている。
【符号の説明】
【００５０】
１０    歯間クリーナー
１１    柄
１２    クリーニング機構
１４    被覆
１５    指状突起
１６    毛束
１７    指状突起輪
１８    毛輪
１９    構造体
２０    単毛
２３    ヘッド
【図１】
0006343282.tif 000002
【図２】
0006343282.tif 000003
【図３】
0006343282.tif 000004
【図４】
0006343282.tif 000005
【図５】
0006343282.tif 000006
【図６】
0006343282.tif 000007
【図７】
0006343282.tif 000008
【図８】
0006343282.tif 000009
【図９】
0006343282.tif 000010
【図１０】
0006343282.tif 000011
【図１１】
0006343282.tif 000012
【図１２】
0006343282.tif 000013
【図１３】
0006343282.tif 000014
【図１４】
0006343282.tif 000015
【図１５】
0006343282.tif 000016
【図１６】
0006343282.tif 000017
【図１７】
0006343282.tif 000018
【図１８】
0006343282.tif 000019